(57)【特許請求の範囲】
【請求項１】
基地局と通信端末との間のノン・コンテンション型の初期アクセス手続が完了した場合の、前記通信端末から送信される、前記ノン・コンテンション型の初期アクセス手続におけるプリアンブル情報の送信回数を受信して取り込むプリアンブル情報送信回数取得部と、
前記プリアンブル情報送信回数取得部が取り込んだプリアンブル情報の送信回数に基づいて、前記基地局における期待受信電力値を決定する期待受信電力決定部と、
前記期待受信電力決定部が決定した期待受信電力値に基づいて、通信端末の初期アクセス手続に関する初期アクセス設定情報を生成して出力する設定値通知部と、
を備えることを特徴とする初期アクセス設定情報生成装置。
【請求項２】
前記期待受信電力決定部は、
前記ノン・コンテンション型の初期アクセス手続が完了した通信端末の最大送信電力が所定値を超えない場合は、現在の期待受信電力を維持し、前記送信回数が“１”である場合は、現在の期待受信電力を下げる方向の期待受信電力値を算出し、それ以外の場合は、現在の期待受信電力を上げる方向の期待受信電力値を算出する
ことを特徴とする請求項１記載の初期アクセス設定情報生成装置。
【請求項３】
前記期待受信電力決定部は、
前記プリアンブル情報送信回数取得部がプリアンブル情報の送信回数を受信して取り込むたびに、そのプリアンブル情報の送信回数に基づいて前記基地局における期待受信電力値を計算して記憶するとともに、周期的に前記記憶した期待受信電力値のうち最新の期待受信電力値を読み出して期待受信電力値として決定する
ことを特徴とする請求項１または２いずれか記載の初期アクセス設定情報生成装置。
【請求項４】
前記設定値通知部は、
前記期待受信電力決定部が決定した期待受信電力値に基づいて、コンテンション型およびノン・コンテンション型の初期アクセス設定情報をそれぞれ生成して出力する
ことを特徴とする請求項１から３いずれか一項記載の初期アクセス設定情報生成装置。
【請求項５】
基地局と通信端末との間のノン・コンテンション型の初期アクセス手続が完了したあと、前記通信端末から送信される、前記ノン・コンテンション型の初期アクセス手続におけるプリアンブル情報の送信回数を受信して取り込むプリアンブル情報送信回数取得ステップと、
前記プリアンブル情報送信回数取得ステップにおいて取り込んだプリアンブル情報の送信回数に基づいて、前記基地局における期待受信電力値を決定する期待受信電力決定ステップと、
前記期待受信電力決定ステップにおいて決定した期待受信電力値に基づいて、通信端末の初期アクセス手続に関する初期アクセス設定情報を生成して出力する設定値通知ステップと、
を有することを特徴とする初期アクセス設定情報生成方法。
【請求項６】
コンピュータに、
基地局と通信端末との間のノン・コンテンション型の初期アクセス手続が完了したあと、前記通信端末から送信される、前記ノン・コンテンション型の初期アクセス手続におけるプリアンブル情報の送信回数を受信して取り込むプリアンブル情報送信回数取得ステップと、
前記プリアンブル情報送信回数取得ステップにおいて取り込んだプリアンブル情報の送信回数に基づいて、前記基地局における期待受信電力値を決定する期待受信電力決定ステップと、
前記期待受信電力決定ステップにおいて決定した期待受信電力値に基づいて、通信端末の初期アクセス手続に関する初期アクセス設定情報を生成して出力する設定値通知ステップと、
を実行させるための初期アクセス設定情報生成プログラム。
【請求項７】
通信端末との間のノン・コンテンション型の初期アクセス手続が完了した場合の、前記通信端末から送信される、前記ノン・コンテンション型の初期アクセス手続におけるプリアンブル情報の送信回数を受信して取り込むプリアンブル情報送信回数取得部と、
前記プリアンブル情報送信回数取得部が取り込んだプリアンブル情報の送信回数に基づいて、期待受信電力値を決定する期待受信電力決定部と、
前記期待受信電力決定部が決定した期待受信電力値に基づいて、通信端末の初期アクセス手続に関する初期アクセス設定情報を生成して出力する設定値通知部と、
を備えることを特徴とする基地局装置。
【発明の詳細な説明】
【技術分野】
【０００１】
本発明は、基地局と通信端末との間の初期アクセス手続において用いられる初期アクセス設定情報を生成する、初期アクセス設定情報生成装置、初期アクセス設定情報生成方法、初期アクセス設定情報生成プログラム、および基地局装置に関する。
【背景技術】
【０００２】
ＬＴＥ（Ｌｏｎｇ  Ｔｅｒｍ  Ｅｖｏｌｕｔｉｏｎ）では、通信端末が電源投入されたときや基地局が切り替わるハンドオーバ時等に、通信端末と基地局（ハンドオーバ時においてはハンドオーバ先の基地局）との間でＲａｎｄｏｍ  Ａｃｃｅｓｓ  Ｐｒｏｃｅｄｕｒｅと呼ばれる初期アクセス手続を行い、両者間の通信を確立させることが規定されている。また、ＬＴＥには、コンテンション（Ｃｏｎｔｅｎｔｉｏｎ）型およびノン・コンテンション（Ｎｏｎ−ｃｏｎｔｅｎｔｉｏｎ）型のＲａｎｄｏｍ  Ａｃｃｅｓｓ  Ｐｒｏｃｅｄｕｒｅが定義されている（例えば、非特許文献１参照）。
【０００３】
コンテンション型のＲａｎｄｏｍ  Ａｃｃｅｓｓ  Ｐｒｏｃｅｄｕｒｅは、最初に通信端末が動作を開始する手続である。例えば、電源が投入されたときの通信端末や、アイドル状態からコネクト状態に移行するときの通信端末は、プリアンブル情報であるＲａｎｄｏｍ  Ａｃｃｅｓｓ  Ｐｒｅａｍｂｌｅを基地局に対して送信することによって、コンテンション型のＲａｎｄｏｍ  Ａｃｃｅｓｓ  Ｐｒｏｃｅｄｕｒｅを開始する。
【０００４】
また、ノン・コンテンション型のＲａｎｄｏｍ  Ａｃｃｅｓｓ  Ｐｒｏｃｅｄｕｒｅは、最初に基地局が動作を開始する手続である。例えば、基地局間でハンドオーバが発生すると、ハンドオーバ先の基地局は、ハンドオーバのための所定の信号を生成してハンドオーバ元の基地局に通知する。次に、ハンドオーバ元の基地局は、Ｒａｎｄｏｍ  Ａｃｃｅｓｓ  Ｐｒｅａｂｍｌｅ  Ａｓｓｉｇｎｍｅｎｔを通信対象である通信端末に送信する。このようにして、ハンドオーバ先の基地局は、ハンドオーバ元の基地局を介して、ノン・コンテンション型のＲａｎｄｏｍ  Ａｃｃｅｓｓ  Ｐｒｏｃｅｄｕｒｅを開始する。ノン・コンテンション型のＲａｎｄｏｍ  Ａｃｃｅｓｓ  Ｐｒｏｃｅｄｕｒｅでは、Ｒａｎｄｏｍ  Ａｃｃｅｓｓ  Ｐｒｅａｂｍｌｅ  Ａｓｓｉｇｎｍｅｎｔを受信した通信端末が、プリアンブル情報であるＲａｎｄｏｍ  Ａｃｃｅｓｓ  Ｐｒｅａｍｂｌｅをハンドオーバ先の基地局に対して送信する。
【０００５】
コンテンション型およびノン・コンテンション型のＲａｎｄｏｍ  Ａｃｃｅｓｓ  Ｐｒｏｃｅｄｕｒｅにおいて通信端末が送信するＲａｎｄｏｍ  Ａｃｃｅｓｓ  Ｐｒｅａｍｂｌｅの送信電力は、基地局から通信端末に送信される初期アクセス設定情報にしたがって決められる。ＬＴＥの規格書である非特許文献２によれば、通信端末のＲａｎｄｏｍ  Ａｃｃｅｓｓ  Ｐｒｅａｍｂｌｅの送信電力値ＰＲＡＣＨは、下記の式（１）により表される。
式（１）において、ＰＣＭＡＸは、通信端末固有の最大送信電力値である。ＰＲＩＲＴＰは、基地局において期待され期待受信電力値である。ＰＬ（Ｐａｔｈ  Ｌｏｓｓ）は、通信端末が測定したパスロス値である。ｐｒｅａｍｂｌｅＴｒａｎｓｍｉｓｓｉｏｎＣｏｕｎｔｅｒは、Ｒａｎｄｏｍ  Ａｃｃｅｓｓ  Ｐｒｅａｍｂｌｅの送信回数である。ｐｏｗｅｒＲａｍｐｉｎｇＳｔｅｐは、Ｒａｎｄｏｍ  Ａｃｃｅｓｓ  Ｐｒｅａｍｂｌｅを再送するときの電力増加幅である。
【０００６】
【数１】
0005450333.tif 000002
【０００７】
式（１）のうち、期待受信電力値ＰＲＩＲＴＰおよび電力増加幅ｐｏｗｅｒＲａｍｐｉｎｇＳｔｅｐは、基地局が通信端末に送信する初期アクセス設定情報に含まれる情報である。
【０００８】
通信端末が送信するＲａｎｄｏｍ  Ａｃｃｅｓｓ  Ｐｒｅａｍｂｌｅは、対象の基地局に隣接する基地局（隣接基地局）から干渉を受けるおそれがある。よって、隣接基地局の状況（例えば、無線環境、通信端末のアクセス数等）の変化に応じて、通信端末は、送信電力を設定することが望まれる。
従来、基地局が測定した統計情報に基づいて期待受信電力値ＰＲＩＲＴＰを調整する技術が検討されている（例えば、非特許文献３参照）。非特許文献３には、Ｒａｎｄｏｍ  Ａｃｃｅｓｓ  Ｐｒｅａｍｂｌｅの送受信が初回で成功したＲａｎｄｏｍ  Ａｃｃｅｓｓ  Ｐｒｏｃｅｄｕｒｅの割合が一定となるようにＰＲＩＲＴＰを決定して初期アクセス設定情報に含めることが記載されている。
【０００９】
また、ＬＴＥによれば、基地局は、ＰＲＡＣＨ（Ｐｈｙｓｉｃａｌ  Ｒａｎｄｏｍ  Ａｃｃｅｓｓ  Ｃｈａｎｎｅｌ）の無線リソース量値を、初期アクセス設定情報に含めて通信端末に通知する。このＰＲＡＣＨの無線リソース量値は、基地局ごとに設定できる。ＰＲＡＣＨの無線リソース量は、上りデータチャネルの無線リソースを圧迫することになるため、基地局は、この基地局における通信端末のＲａｎｄｏｍ  Ａｃｃｅｓｓ  Ｐｒｅａｍｂｌｅが衝突しない程度にＰＲＡＣＨの無線リソース量を調整することが望まれる。
【先行技術文献】
【非特許文献】
【００１０】
【非特許文献１】３ＧＰＰ  ＴＳ  ３６．３００  ｖ９．３．０  ２０１０−０３
【非特許文献２】３ＧＰＰ  ＴＳ  ３６．２１３  ｖ９．１．０  ２０１０−０３
【非特許文献３】M. Amirijoo, P. Frenger, F. Gunnarsson, J. Moe and K. Zetterberg, “On self-optimization of the random access procedure in 3G Long Term Evolution,” IFIP/IEEE International Symposium on Integrated Network Management-Workshops, 2009. IM '09, pp.177-184, Jun., 2009.
【発明の概要】
【発明が解決しようとする課題】
【００１１】
しかしながら、非特許文献３に記載された期待受信電力値ＰＲＩＲＴＰの調整技術は、通信端末がＲａｎｄｏｍ  Ａｃｃｅｓｓ  Ｐｒｅａｍｂｌｅを再送した場合に、基地局がその再送原因に応じた対処を行うものではない。Ｒａｎｄｏｍ  Ａｃｃｅｓｓ  Ｐｒｅａｍｂｌｅの再送原因としては、例えば、受信電力レベルが低いことや干渉が強いことによる通信品質の低下や、符号の衝突等がある。上記従来の調整技術によれば、例えば、符号の衝突によってＲａｎｄｏｍ  Ａｃｃｅｓｓ  Ｐｒｅａｍｂｌｅが再送されているのに対し、基地局が、本来はＲａｎｄｏｍ  Ａｃｃｅｓｓ  Ｐｒｅａｍｂｌｅのためのリソース量を増加させるべきにもかかわらず、期待受信電力値ＰＲＩＲＴＰを大きくしてしまうことが起こり得る。このような不適切な初期アクセス設定情報を用いた場合、Ｒａｎｄｏｍ  Ａｃｃｅｓｓ  Ｐｒｅａｍｂｌｅの再送回数を減らすという解決がされないばかりか、隣接基地局への干渉が大きくなったり、通信端末の消費電力が大きくなったりするといった問題が発生する。
【００１２】
また、同様に、受信電力の低下や干渉電力の増加によってＲａｎｄｏｍ  Ａｃｃｅｓｓ  Ｐｒｅａｍｂｌｅが再送されているのに対し、基地局が、本来は期待受信電力値ＰＲＩＲＴＰを大きくすべきにもかかわらず、Ｒａｎｄｏｍ  Ａｃｃｅｓｓ  Ｐｒｅａｍｂｌｅのためのリソース量を増加させてしまうことが起こり得る。このような不適切な初期アクセス設定情報を用いた場合、Ｒａｎｄｏｍ  Ａｃｃｅｓｓ  Ｐｒｅａｍｂｌｅの再送回数を減らすという解決がされないばかりか、データチャネルを圧迫してシステム利用効率が低下するという問題が発生する。
【００１３】
本発明は、上記問題を解決するためになされたものであり、プリアンブル情報の再送原因に応じて適切な初期アクセス設定情報を生成することができる、初期アクセス設定情報生成装置、初期アクセス設定情報生成方法、初期アクセス設定情報生成プログラム、および基地局装置を提供することを目的とする。
【課題を解決するための手段】
【００１４】
［１］上記の課題を解決するため、本発明の一態様である初期アクセス設定情報生成装置は、基地局と通信端末との間のノン・コンテンション型の初期アクセス手続が完了した場合の、前記通信端末から送信される、前記ノン・コンテンション型の初期アクセス手続におけるプリアンブル情報の送信回数を受信して取り込むプリアンブル情報送信回数取得部と、前記プリアンブル情報送信回数取得部が取り込んだプリアンブル情報の送信回数に基づいて、前記基地局における期待受信電力値を決定する期待受信電力決定部と、前記期待受信電力決定部が決定した期待受信電力値に基づいて、通信端末の初期アクセス手続に関する初期アクセス設定情報を生成して出力する設定値通知部と、を備えることを特徴とする。
ここで、初期アクセス手続は、例えばＲａｎｄｏｍ  Ａｃｃｅｓｓ  Ｐｒｏｃｅｄｕｒｅである。また、プリアンブル情報は、例えばＲａｎｄｏｍ  Ａｃｃｅｓｓ  Ｐｒｅａｍｂｌｅである。
【００１５】
［２］上記［１］記載の初期アクセス設定情報生成装置において、前記期待受信電力決定部は、前記ノン・コンテンション型の初期アクセス手続が完了した通信端末の最大送信電力が所定値を超えない場合は、現在の期待受信電力を維持し、前記送信回数が“１”である場合は、現在の期待受信電力を下げる方向の期待受信電力値を算出し、それ以外の場合は、現在の期待受信電力を上げる方向の期待受信電力値を算出することを特徴とする。
［３］上記［１］または［２］いずれか記載の初期アクセス設定情報生成装置において、前記期待受信電力決定部は、前記プリアンブル情報送信回数取得部がプリアンブル情報の送信回数を受信して取り込むたびに、そのプリアンブル情報の送信回数に基づいて前記基地局における期待受信電力値を計算して記憶するとともに、周期的に前記記憶した期待受信電力値のうち最新の期待受信電力値を読み出して期待受信電力値として決定することを特徴とする。
［４］上記［１］から［３］いずれか一項記載の初期アクセス設定情報生成装置において、前記設定値通知部は、前記期待受信電力決定部が決定した期待受信電力値に基づいて、コンテンション型およびノン・コンテンション型の初期アクセス設定情報をそれぞれ生成して出力することを特徴とする。
【００１６】
［５］上記の課題を解決するため、本発明の一態様である初期アクセス設定情報生成方法は、基地局と通信端末との間のノン・コンテンション型の初期アクセス手続が完了したあと、前記通信端末から送信される、前記ノン・コンテンション型の初期アクセス手続におけるプリアンブル情報の送信回数を受信して取り込むプリアンブル情報送信回数取得ステップと、前記プリアンブル情報送信回数取得ステップにおいて取り込んだプリアンブル情報の送信回数に基づいて、前記基地局における期待受信電力値を決定する期待受信電力決定ステップと、前記期待受信電力決定ステップにおいて決定した期待受信電力値に基づいて、通信端末の初期アクセス手続に関する初期アクセス設定情報を生成して出力する設定値通知ステップと、を有することを特徴とする。
【００１７】
［６］上記の課題を解決するため、本発明の一態様である初期アクセス設定情報生成プログラムは、コンピュータに、基地局と通信端末との間のノン・コンテンション型の初期アクセス手続が完了したあと、前記通信端末から送信される、前記ノン・コンテンション型の初期アクセス手続におけるプリアンブル情報の送信回数を受信して取り込むプリアンブル情報送信回数取得ステップと、前記プリアンブル情報送信回数取得ステップにおいて取り込んだプリアンブル情報の送信回数に基づいて、前記基地局における期待受信電力値を決定する期待受信電力決定ステップと、前記期待受信電力決定ステップにおいて決定した期待受信電力値に基づいて、通信端末の初期アクセス手続に関する初期アクセス設定情報を生成して出力する設定値通知ステップと、を実行させる。
【００１８】
［７］上記の課題を解決するため、本発明の一態様である基地局装置は、通信端末との間のノン・コンテンション型の初期アクセス手続が完了した場合の、前記通信端末から送信される、前記ノン・コンテンション型の初期アクセス手続におけるプリアンブル情報の送信回数を受信して取り込むプリアンブル情報送信回数取得部と、前記プリアンブル情報送信回数取得部が取り込んだプリアンブル情報の送信回数に基づいて、期待受信電力値を決定する期待受信電力決定部と、前記期待受信電力決定部が決定した期待受信電力値に基づいて、通信端末の初期アクセス手続に関する初期アクセス設定情報を生成して出力する設定値通知部と、を備えることを特徴とする。
【発明の効果】
【００１９】
本発明によれば、プリアンブル情報の再送原因に応じて適切な初期アクセス設定情報を生成することができる。
【図面の簡単な説明】
【００２０】
【図１】本発明の一実施形態である初期アクセス設定情報生成装置の機能構成を表すブロック図である。
【図２】通信端末と基地局との間における、Ｒａｎｄｏｍ  Ａｃｃｅｓｓ  Ｐｒｏｃｅｄｕｒｅの手順を表すシーケンス図である。
【図３】同実施形態における、初期アクセス設定情報生成装置による第１の処理手順を示すフローチャートである。
【図４】同実施形態における、初期アクセス設定情報生成装置による第２の処理手順を示すフローチャートである。
【発明を実施するための形態】
【００２１】
以下、本発明を実施するための形態について、図面を参照して詳細に説明する。
図１は、本発明の一実施形態である初期アクセス設定情報生成装置の機能構成を表すブロック図である。同図に示すように、初期アクセス設定情報生成装置１は、初期アクセス完了判定部（プリアンブル情報送信回数取得部）１０と、受信情報選択部２０と、期待受信電力決定部３０と、期待受信電力決定タイミング生成部４０と、無線リソース量決定部５０と、無線リソース量決定タイミング生成部６０と、設定値通知部７０とを備える。
【００２２】
本実施形態において、初期アクセス設定情報生成装置１は、図示しない基地局（以下、本基地局と言う。）に設置される。よって、初期アクセス設定情報生成装置１は、図示しない基地局装置に含まれるようにしてもよい。
【００２３】
初期アクセス完了判定部１０は、本基地局と図示しない通信端末との間で行われる、同期化前の初期アクセス手続であるＲａｎｄｏｍ  Ａｃｃｅｓｓ  Ｐｒｏｃｅｄｕｒｅ（以下、ＲＡ  Ｐｒｏｃｅｄｕｒｅと記載する。）が完了したか否かを、通信端末ごとに判定する。なお、通信端末は、例えば、携帯電話機、携帯情報端末、スマートフォン等の利用者端末である。
初期アクセス完了判定部１０は、ＲＡ  Ｐｒｏｃｅｄｕｒｅが完了したと判定する場合は、そのＲＡ  Ｐｒｏｃｅｄｕｒｅの種別を取得する。この種別は、コンテンション型またはノン・コンテンション型である。コンテンション型およびノン・コンテンション型のＲＡ  Ｐｒｏｃｅｄｕｒｅの具体的な手順については後述する。
【００２４】
また、初期アクセス完了判定部１０は、ＲＡ  Ｐｒｏｃｅｄｕｒｅが完了したと判定した通信端末に対して、端末情報（ＵＥ  Ｉｎｆｏｒｍａｔｉｏｎ；Ｕｓｅｒ  Ｅｑｕｉｐｍｅｎｔ  Ｉｎｆｏｒｍａｔｉｏｎ）の送信を要求する。そして、初期アクセス完了判定部１０は、その端末情報の送信要求に応じて通信端末から送信され、本基地局が受信する端末情報を取り込む。この端末情報には、ＲＡ  Ｐｒｏｃｅｄｕｒｅにおけるプリアンブル情報であるＲａｎｄｏｍ  Ａｃｃｅｓｓ  Ｐｒｅａｍｂｌｅ（以下、ＲＡ  Ｐｒｅａｍｂｌｅと記載する。）の送信回数を示す情報が含まれている。そして、初期アクセス完了判定部１０は、取り込んだ端末情報からＲＡ  Ｐｒｅａｍｂｌｅの送信回数を示す情報を抽出する。
初期アクセス完了判定部１０は、ＲＡ  Ｐｒｏｃｅｄｕｒｅの種別を示すＲＡ  Ｐｒｏｃｅｄｕｒｅ種別情報と、ＲＡ  Ｐｒｅａｍｂｌｅの送信回数を示す情報とを、受信情報選択部２０に供給する。
【００２５】
受信情報選択部２０は、初期アクセス完了判定部１０から供給されるＲＡ  Ｐｒｏｃｅｄｕｒｅ種別情報と、ＲＡ  Ｐｒｅａｍｂｌｅの送信回数を示す情報とを取り込む。そして、受信情報選択部２０は、ＲＡ  Ｐｒｏｃｅｄｕｒｅ種別情報を判定する。
受信情報選択部２０は、ＲＡ  Ｐｒｏｃｅｄｕｒｅ種別情報がノン・コンテンション型を示す情報であると判定した場合は、ＲＡ  Ｐｒｅａｍｂｌｅの送信回数を示す情報をノン・コンテンション型プリアンブル送信回数情報として期待受信電力決定部３０に供給する。
また、受信情報選択部２０は、ＲＡ  Ｐｒｏｃｅｄｕｒｅ種別情報がコンテンション型を示す情報であると判定した場合は、ＲＡ  Ｐｒｅａｍｂｌｅの送信回数を示す情報をコンテンション型プリアンブル送信回数情報として無線リソース量決定部５０に供給する。
【００２６】
期待受信電力決定部３０は、図示しない読み書き可能な期待受信電力値記憶部を具備する。この期待受信電力値記憶部は、少なくとも１期待受信電力値分の容量を有するメモリである。期待受信電力値は、本基地局において期待される受信電力を示す値であり、例えば、通信端末のＲＡ  Ｐｒｅａｍｂｌｅの送信電力値ＰＲＡＣＨを表す下記の式（２）におけるＰＲＩＲＴＰである。なお、ＰＲＩＲＴＰの添え字である“ＲＩＲＴＰ”は、“Ｐｒｅａｍｂｌｅ  Ｉｎｉｔｉａｌ  Ｒｅｃｅｉｖｅｄ  Ｔａｒｇｅｔ  Ｐｏｗｅｒ”を略記したものである。
式（２）において、ＰＣＭＡＸは、通信端末固有の最大送信電力値である。ＰＬ（Ｐａｔｈ  Ｌｏｓｓ）は、通信端末が測定したパスロス値である。ｐｒｅａｍｂｌｅＴｒａｎｓｍｉｓｓｉｏｎＣｏｕｎｔｅｒは、ＲＡ  Ｐｒｅａｍｂｌｅの送信回数である。ｐｏｗｅｒＲａｍｐｉｎｇＳｔｅｐは、ＲＡ  Ｐｒｅａｍｂｌｅを再送するときの電力増加幅である。
【００２７】
【数２】
0005450333.tif 000003
【００２８】
式（２）のうち、期待受信電力値ＰＲＩＲＴＰおよび電力増加幅ｐｏｗｅｒＲａｍｐｉｎｇＳｔｅｐは、本基地局が通信端末に送信する初期アクセス設定情報に含まれる情報である。
【００２９】
期待受信電力決定部３０は、受信情報選択部２０からノン・コンテンション型プリアンブル送信回数情報が供給されるたびに、ノン・コンテンション型プリアンブル送信回数情報を取り込み、期待受信電力値ＰＲＩＲＴＰを計算して期待受信電力値記憶部に記憶する。
なお、２回目以降の期待受信電力値記憶部への記憶について、期待受信電力決定部３０は、前回の記憶値を更新するようにしてもよい。
【００３０】
期待受信電力決定部３０は、ノン・コンテンション型プリアンブル送信回数情報に基づいて期待受信電力値ＰＲＩＲＴＰを計算する。この期待受信電力値ＰＲＩＲＴＰの計算方法の例については後述する。
【００３１】
期待受信電力決定部３０は、期待受信電力決定タイミング生成部４０から期待受信電力決定タイミング信号の供給を受けると、この期待受信電力決定タイミング信号を取り込んだ時点で、期待受信電力値記憶部から最新の期待受信電力値ＰＲＩＲＴＰを読み出し、その期待受信電力値ＰＲＩＲＴＰを設定値通知部７０に供給する。
【００３２】
期待受信電力決定タイミング生成部４０は、周期的に上記の期待受信電力決定タイミング信号を生成して期待受信電力決定部３０に供給する。期待受信電力決定タイミング生成部４０が期待受信電力決定タイミング信号を生成する周期は、例えば一定周期である。ただし、厳密に一定でなくてもよい。
本実施形態においては、期待受信電力決定タイミング生成部４０は、オペレータの指定によって周期または時刻の供給を受け、この周期または時刻にしたがって期待受信電力決定タイミング信号を生成する。
【００３３】
なお、期待受信電力決定タイミング生成部４０は、期待受信電力決定部３０が取り込むノン・コンテンション型プリアンブル送信回数情報の情報量に応じて周期を変えてもよい。この場合は、例えば、期待受信電力決定部３０が取り込むノン・コンテンション型プリアンブル送信回数情報の単位時間当たりの情報量が閾値よりも多くなったとき、期待受信電力決定タイミング生成部４０は、期待受信電力決定タイミング信号を生成する周期を短くする。また、期待受信電力決定部３０が取り込むノン・コンテンション型プリアンブル送信回数情報の単位時間当たりの情報量が閾値以下になったとき、期待受信電力決定タイミング生成部４０は、期待受信電力決定タイミング信号を生成する周期を長くする。
【００３４】
無線リソース量決定部５０は、図示しない読み書き可能な記憶部を具備する。この記憶部は、ワーク領域であり、例えばメモリで実現される。
無線リソース量決定部５０は、無線リソース量決定タイミング生成部６０から無線リソース量決定タイミング信号の供給を受けるまで、受信情報選択部２０からコンテンション型プリアンブル送信回数情報が供給されると、このコンテンション型プリアンブル送信回数情報を取り込んで記憶部に記憶する。つまり、無線リソース量決定部５０は、前回の無線リソース量決定タイミング信号の受信時から今回の無線リソース量決定タイミング信号の受信時までの期間において、受信情報選択部２０から供給されるコンテンション型プリアンブル送信回数情報を取り込んで記憶部に記憶する。
【００３５】
無線リソース量決定部５０は、無線リソース量決定タイミング生成部６０から無線リソース量決定タイミング信号の供給を受けると、この無線リソース量決定タイミング信号を取り込んだ時点で、記憶部に記憶した情報に基づいてコンテンション型のＲＡ  Ｐｒｅａｍｂｌｅの初送の失敗率を計算し、さらに無線リソース量を計算する。無線リソース量値は、通信端末がＲＡ  Ｐｒｅａｍｂｌｅを本基地局に送信するのに必要なリソース量を示す値であり、例えば、単位時間当たりのサブフレーム数である。サブフレームは、時間対周波数の無線リソース領域における時間方向の最小単位である。１サブフレームの時間長は、例えばＬＴＥでは１ミリ秒（ｍｓ）である。初送失敗率および無線リソース量値の計算方法の例については後述する。
【００３６】
無線リソース量決定部５０は、計算した無線リソース量値を設定値通知部７０に供給する。
【００３７】
無線リソース量決定タイミング生成部６０は、周期的に上記の無線リソース量決定タイミング信号を生成して無線リソース量決定部５０に供給する。無線利ソール量決定タイミング生成部６０が無線リソース量決定タイミング信号を生成する周期は、例えば一定周期である。ただし、厳密に一定でなくてもよい。本実施形態においては、無線リソース量決定タイミング生成部６０は、オペレータの指定によって周期または時刻の供給を受け、この周期または時刻にしたがって無線リソース量決定タイミング信号を生成する。
【００３８】
なお、無線リソース量決定タイミング生成部６０は、無線リソース量決定部５０が取り込むコンテンション型プリアンブル送信回数情報の情報量に応じて周期を変えてもよい。この場合は、例えば、無線リソース量決定部５０が取り込むコンテンション型プリアンブル送信回数情報の単位時間当たりの情報量が閾値よりも多くなったとき、無線リソース量決定タイミング生成部６０は、無線リソース量決定タイミング信号を生成する周期を短くする。また、無線リソース量決定部５０が取り込むコンテンション型プリアンブル送信回数情報の単位時間当たりの情報量が閾値以下になったとき、無線リソース量決定タイミング生成部６０は、無線リソース量決定タイミング信号を生成する周期を長くする。
【００３９】
設定値通知部７０は、期待受信電力決定部３０から供給される期待受信電力値ＰＲＩＲＴＰと、無線リソース量決定部５０から供給される無線リソース量値とのいずれかに基づいて、初期アクセス設定情報を生成し出力する。
具体的には、設定値通知部７０は、期待受信電力決定部３０から期待受信電力値ＰＲＩＲＴＰの供給を受けると、この期待受信電力値ＰＲＩＲＴＰを取り込み、例えばＬＴＥ標準仕様の通知フォーマットにしたがって、期待受信電力値ＰＲＩＲＴＰをコンテンション型およびノン・コンテンション型の初期アクセス設定情報にそれぞれ含めて出力する。
また、設定値通知部７０は、無線リソース量決定部５０から無線リソース量値の供給を受けると、この無線リソース量値を取り込み、例えばＬＴＥ標準仕様の通知フォーマットにしたがって、無線リソース量値をコンテンション型の初期アクセス設定情報に含めて出力する。
なお、設定値通知部７０は、無線リソース量値をノン・コンテンション型およびコンテンション型の初期アクセス設定情報にそれぞれ含めて出力してもよい。
【００４０】
本基地局は、設定値通知部７０から出力されるコンテンション型の初期アクセス設定情報を取り込むと、このコンテンション型の初期アクセス設定情報をブロードキャスト送信する。また、本基地局は、設定値通知部７０から出力されるノン・コンテンション型の初期アクセス設定情報を取り込むと、対応する通信端末に対してそのノン・コンテンション型の初期アクセス設定情報を送信する。
【００４１】
図２は、通信端末と基地局との間における、ＲＡ  Ｐｒｏｃｅｄｕｒｅの手順を表すシーケンス図である。同図（ａ）は、コンテンション型のＲＡ  Ｐｒｏｃｅｄｕｒｅのシーケンス図であり、同図（ｂ）は、ノン・コンテンション型のＲＡ  Ｐｒｏｃｅｄｕｒｅのシーケンス図である。これらシーケンス図による手続の詳細は、非特許文献１に定義されている。
【００４２】
図２（ａ）において、初期アクセス完了判定部１０がコンテンション型のＲＡ  Ｐｒｏｃｅｄｕｒｅの完了時点を判定するタイミングは、本基地局がＣｏｎｔｅｎｔｉｏｎ  Ｒｅｓｏｌｕｔｉｏｎを通信端末に対して送信した時点である。
なお、初期アクセス完了判定部１０は、本基地局がＳｃｈｅｄｕｌｅｄ  Ｔｒａｎｓｍｉｓｓｉｏｎを受信した時点を、コンテンション型のＲＡ  Ｐｒｏｃｅｄｕｒｅの完了時点として判定してもよい。
【００４３】
また、図２（ｂ）において、初期アクセス完了判定部１０がノン・コンテンション型のＲＡ  Ｐｒｏｃｅｄｕｒｅの完了時点を判定するタイミングは、本基地局がＲａｎｄｏｍ  Ａｃｃｅｓｓ  Ｒｅｓｐｏｎｓｅを通信端末に対して送信した時点である。
なお、初期アクセス完了判定部１０は、本基地局がＲＡ  Ｐｒｅａｍｂｌｅを受信した時点を、ノン・コンテンション型のＲＡ  Ｐｒｏｃｅｄｕｒｅの完了時点として判定してもよい。
【００４４】
次に、図３および図４を併せ参照して、初期アクセス設定情報生成装置１の動作について説明する。ここでは、初期アクセス設定情報の設定値は、期待受信電力値ＰＲＩＲＴＰおよび無線リソース量値である。
【００４５】
図３は、初期アクセス設定情報生成装置１による第１の処理手順を示すフローチャートである。
まず、ステップＳ１において、初期アクセス完了判定部１０は、本基地局と通信端末との間で行われる、ＲＡ  Ｐｒｏｃｅｄｕｒｅが完了したか否かを判定している。初期アクセス完了判定部１０は、ＲＡ  Ｐｒｏｃｅｄｕｒｅが完了したと判定すると、そのＲＡ  Ｐｒｏｃｅｄｕｒｅの種別を取得してステップＳ２の処理に移る。
【００４６】
ステップＳ２において、初期アクセス完了判定部１０は、ＲＡ  Ｐｒｏｃｅｄｕｒｅが完了したと判定した通信端末に対して端末情報の送信を要求する。
次に、ステップＳ３において、初期アクセス完了判定部１０は、ステップＳ２の処理における送信要求に応じて通信端末から送信され、本基地局が受信する端末情報を取り込む。そして、初期アクセス完了判定部１０は、取り込んだ端末情報からＲＡ  Ｐｒｅａｍｂｌｅの送信回数を示す情報を抽出する。
次に、初期アクセス完了判定部１０は、ステップＳ１の処理において取得したＲＡ  Ｐｒｏｃｅｄｕｒｅの種別を示すＲＡ  Ｐｒｏｃｅｄｕｒｅ種別情報と、上記のＲＡ  Ｐｒｅａｍｂｌｅの送信回数を示す情報とを、受信情報選択部２０に供給する。
【００４７】
次に、ステップＳ４において、受信情報選択部２０は、初期アクセス完了判定部１０から供給されるＲＡ  Ｐｒｏｃｅｄｕｒｅ種別情報と、ＲＡ  Ｐｒｅａｍｂｌｅの送信回数を示す情報とを取り込む。
次に、受信情報選択部２０は、ＲＡ  Ｐｒｏｃｅｄｕｒｅ種別情報を判定する。
【００４８】
受信情報選択部２０は、ＲＡ  Ｐｒｏｃｅｄｕｒｅ種別情報がノン・コンテンション型を示す情報であると判定した場合は、ＲＡ  Ｐｒｅａｍｂｌｅの送信回数を示す情報をノン・コンテンション型プリアンブル送信回数情報として期待受信電力決定部３０に供給する。そして次に、ステップＳ５の処理に進む。
一方、受信情報選択部２０は、ＲＡ  Ｐｒｏｃｅｄｕｒｅ種別情報がコンテンション型を示す情報であると判定した場合は、ＲＡ  Ｐｒｅａｍｂｌｅの送信回数を示す情報をコンテンション型プリアンブル送信回数情報として無線リソース量決定部５０に供給する。そして次に、ステップＳ７の処理に進む。
【００４９】
ステップＳ５において、期待受信電力決定部３０は、受信情報選択部２０から供給されるノン・コンテンション型プリアンブル送信回数情報を取り込み、ノン・コンテンション型プリアンブル送信回数情報に基づいて期待受信電力値ＰＲＩＲＴＰを計算する。
具体的には、期待受信電力決定部３０は、下記の式（３）を計算することによって期待受信電力値ＰＲＩＲＴＰを求める。
式（３）において、Ｒｔａｒｇｅｔは、ＲＡ  Ｐｒｅａｍｂｌｅの要求初送成功率である。δｓｔｅｐは、調整幅値である。ＮｐｒｅａｍｂｌｅＳｅｎｔは、ノン・コンテンション型プリアンブル送信回数情報におけるノン・コンテンション型のＲＡ  Ｐｒｅａｍｂｌｅの送信回数である。ＰＨＲ（Ｐｏｗｅｒ  Ｈｅａｄｒｏｏｍ）は、当該通信端末の最大送信電力値と本基地局が通知した要求送信電力値との差分（最大送信電力値−要求送信電力値）を表す情報である。
【００５０】
【数３】
0005450333.tif 000004
【００５１】
本実施形態においては、期待受信電力決定部３０は、オペレータの指定によって調整幅値δｓｔｅｐの供給を受ける。また、期待受信電力決定部３０は、通信端末から本基地局に送信される情報のヘッダに含まれるＰＨＲを抽出して式（３）に適用する。
【００５２】
期待受信電力決定部３０は、式（３）を計算することにより、通信端末が当該通信端末の最大送信電力以下の電力で送信している場合（第１条件）は、現状の期待受信電力を維持する期待受信電力値ＰＲＩＲＴＰを算出する。また、期待受信電力決定部３０は、式（３）を計算することにより、本基地局が通信端末から送信されたＲＡ  Ｐｒｅａｍｂｌｅを初送で受信した場合（第２条件）は、現状の期待受信電力を下げる方向である期待受信電力値ＰＲＩＲＴＰを算出する。さらに、期待受信電力決定部３０は、式（３）を計算することにより、それ以外の場合（第３条件）は、現状の期待受信電力を上げる方向である期待受信電力値ＰＲＩＲＴＰを算出する。
【００５３】
式（３）の第１条件に対応する計算によれば、最大送信電力で送信している通信端末が、ノン・コンテンション型のＲＡ  Ｐｒｅａｍｂｌｅを複数回送信していた場合でも期待受信電力値ＰＲＩＲＴＰを変化させないこととなり、期待受信電力値ＰＲＩＲＴＰが大きくなり過ぎることを制限できる。仮に期待受信電力値ＰＲＩＲＴＰを大きくしたとしても、最大送信電力で送信している通信端末のノン・コンテンション型のＲＡ  Ｐｒｅａｍｂｌｅの送信回数は期待的には変わらず、この点に鑑みても式（３）は有効である。
また、式（３）の第２条件および第３条件に対応する計算によれば、要求初送成功率Ｒｔａｒｇｅｔとなるように期待受信電力値ＰＲＩＲＴＰを設定することができる。
【００５４】
なお、期待受信電力決定部３０が計算する期待受信電力値ＰＲＩＲＴＰの計算方法は式（３）には限られず、ノン・コンテンション型プリアンブル送信回数情報に基づいて計算する方法であればよい。
【００５５】
次に、ステップＳ６において、期待受信電力決定部３０は、計算した期待受信電力値ＰＲＩＲＴＰを期待受信電力値記憶部に記憶して本フローチャートの処理を修了する。
なお、期待受信電力値記憶部への記憶は、逐次連続的に記憶するようにしてもよいし、前回の記憶値を更新するようにしてもよい。
【００５６】
一方、ステップＳ７において、無線リソース量決定部５０は、受信情報選択部２０から供給されるコンテンション型プリアンブル送信回数情報を取り込み、このコンテンション型プリアンブル送信回数情報を記憶部に記憶して本フローチャートの処理を終了する。
【００５７】
図４は、初期アクセス設定情報生成装置１による第２の処理手順を示すフローチャートである。
ステップＳ１１において、初期アクセス設定情報生成装置１は、図３に示したフローチャートの処理（ステップＳ１からステップＳ７までの処理）を実行する。
次に、ステップＳ１２において、期待受信電力決定部３０は、期待受信電力決定タイミング生成部４０から期待受信電力決定タイミング信号の供給を受けたか否かを判定する。
なお、同図のフローチャートには図示していないが、期待受信電力決定タイミング生成部４０は、周期的に期待受信電力決定タイミング信号を生成して期待受信電力決定部３０に供給している。
期待受信電力決定部３０は、期待受信電力決定タイミング信号の供給を受けたと判定した場合はステップＳ１３の処理に進み、期待受信電力決定タイミング信号の供給を受けていないと判定した場合はステップＳ１４の処理に進む。
【００５８】
ステップＳ１３において、期待受信電力決定部３０は、期待受信電力値記憶部から最新の期待受信電力値ＰＲＩＲＴＰを読み出し、その期待受信電力値ＰＲＩＲＴＰを設定値通知部７０に供給する。
次に、設定値通知部７０は、期待受信電力決定部３０から供給される期待受信電力値ＰＲＩＲＴＰに基づいて、初期アクセス設定情報を生成して出力する。
具体的には、設定値通知部７０は、期待受信電力決定部３０から期待受信電力値ＰＲＩＲＴＰの供給を受けると、この期待受信電力値ＰＲＩＲＴＰを取り込み、例えばＬＴＥ標準仕様の通知フォーマットにしたがって、期待受信電力値ＰＲＩＲＴＰをコンテンション型およびノン・コンテンション型の初期アクセス設定情報にそれぞれ含めて出力する。
そして次に、ステップＳ１４の処理に進む。
【００５９】
ステップＳ１４において、無線リソース量決定部５０は、無線リソース量決定タイミング生成部６０から無線リソース量決定タイミング信号の供給を受けたか否かを判定する。
なお、図４のフローチャートには図示していないが、無線リソース量決定タイミング生成部６０は、周期的に無線リソース量決定タイミング信号を生成して無線リソース量決定部５０に供給している。
無線リソース量決定部５０は、無線リソース量決定タイミング信号の供給を受けたと判定した場合はステップＳ１５の処理に進み、無線リソース量決定タイミング信号の供給を受けていないと判定した場合はステップＳ１１の処理に戻る。
【００６０】
ステップＳ１５において、無線リソース量決定部５０は、記憶部に記憶した情報に基づいてＲＡ  Ｐｒｅａｍｂｌｅの初送の失敗率を求め、さらに無線リソース量を計算する。
具体的には、無線リソース量決定部５０は、下記の式（４）および式（５）を計算することによって無線リソース量であるサブフレーム数Ｎ’ｓｕｂｆｒａｍｅを求める。
【００６１】
まず、無線リソース量決定部５０は、コンテンション型プリアンブル送信回数情報を用いることにより、コンテンション型のＲＡ  ＰｒｏｃｅｄｕｒｅにおけるＲＡ  Ｐｒｅａｍｂｌｅの初送失敗率Ｒ１ｓｔＴｒａｎｓを、式（４）によって計算する。
式（４）において、Ｎ１ｓｔＴｒａｎｓは、任意の統計区間（ここでは、無線リソース量決定タイミング信号の到来間隔期間）において、コンテンション型のＲＡ  ＰｒｏｃｅｄｕｒｅにおけるＲＡ  Ｐｒｅａｍｂｌｅのうち、本基地局が初送で受信できたＲＡ  Ｐｒｅａｍｂｌｅの個数である。ＮＲＡＰｒｏｃｅｄｕｒｅは、上記の統計区間において、コンテンション型のＲＡ  Ｐｒｏｃｅｄｕｒｅが完了した手続の個数（完了数）である。
【００６２】
【数４】
0005450333.tif 000005
【００６３】
次に、無線リソース量決定部５０は、下記の式（５）を計算することによってサブフレーム数Ｎ’ｓｕｂｆｒａｍｅを求める。
式（５）において、Ｒｃｒｅｄｉｂｌｅは、初送失敗率Ｒ１ｓｔＴｒａｎｓを計算するために必要な母数の冗長率である。Ｒｔａｒｇｅｔ１ｓｔＴｒａｎｓは、コンテンション型のＲＡ  Ｐｒｏｃｅｄｕｒｅにおいて許容するＲＡ  Ｐｒｅａｍｂｌｅの初送失敗率である。Ｎｓｕｂｆｒａｍｅは、前記の統計区間において現在設定されているサブフレーム数である。
【００６４】
【数５】
0005450333.tif 000006
【００６５】
式（５）において、Ｎ’ｓｕｂｆｒａｍｅ＝Ｎｓｕｂｆｒａｍｅ＋αは、Ｎ’ｓｕｂｆｒａｍｅを、Ｎｓｕｂｆｒａｍｅから一段上げることを意味する。また、Ｎ’ｓｕｂｆｒａｍｅ＝Ｎｓｕｂｆｒａｍｅ−αは、Ｎ’ｓｕｂｆｒａｍｅを、Ｎｓｕｂｆｒａｍｅから一段下げることを意味する。
ここで、例えばＬＴＥにおいては、ＲＡ  Ｐｒｏｃｅｄｕｒｅに割当可能なサブフレーム数は、１，２，３，５，１０等のように離散的となる場合がある。よって、式（５）におけるαは、通信規格にしたがうような増加幅または減少幅とする。例えば、ＬＴＥにおいては、Ｎｓｕｂｆｒａｍｅ＝３であり、Ｒｃｒｅｄｉｂｌｅ／Ｒｔａｒｇｅｔ１ｓｔＴｒａｎｓ＜ＮＲＡＰｒｏｃｅｄｕｒｅの条件を満たさず、且つ、Ｒ１ｓｔＴｒａｎｓ＞Ｒｔａｒｇｅｔ１ｓｔＴｒａｎｓの条件を満足する場合は、無線リソース量決定部５０は、Ｎ’ｓｕｂｆｒａｍｅ＝５にする。また、例えば、Ｎｓｕｂｆｒａｍｅ＝１０であり、Ｒｃｒｅｄｉｂｌｅ／Ｒｔａｒｇｅｔ１ｓｔＴｒａｎｓ＜ＮＲＡＰｒｏｃｅｄｕｒｅの条件を満たさず、且つ、Ｒ１ｓｔＴｒａｎｓ＞Ｒｔａｒｇｅｔ１ｓｔＴｒａｎｓの条件を満足する場合は、無線リソース量決定部５０は、Ｎ’ｓｕｂｆｒａｍｅ＝１０にする。
【００６６】
無線リソース量決定部５０は、式（５）を計算することにより、ＲＡ  Ｐｒｏｃｅｄｕｒｅの完了数ＮＲＡＰｒｏｃｅｄｕｒｅが、前記の統計区間における統計量の信頼性を保つことができるサンプル数である場合（ａ条件）は、ＲＡ  Ｐｒｅａｍｂｌｅの初送失敗率Ｒ１ｓｔＴｒａｎｓと、許容するＲＡ  Ｐｒｅａｍｂｌｅの初送失敗率Ｒｔａｒｇｅｔ１ｓｔＴｒａｎｓとに基づいてサブフレーム数Ｎ’ｓｕｂｆｒａｍｅを算出する。また、無線リソース量決定部５０は、式（５）を計算することにより、ＲＡ  Ｐｒｅａｍｂｌｅの初送失敗率Ｒ１ｓｔＴｒａｎｓが、許容するＲＡ  Ｐｒｅａｍｂｌｅの初送失敗率Ｒｔａｒｇｅｔ１ｓｔＴｒａｎｓよりも大きい場合（ｂ条件）は、一段上げたサブフレーム数Ｎ’ｓｕｂｆｒａｍｅを算出する。さらに、無線リソース量決定部５０は、式（５）を計算することにより、ＲＡ  Ｐｒｅａｍｂｌｅの初送失敗率Ｒ１ｓｔＴｒａｎｓが、許容するＲＡ  Ｐｒｅａｍｂｌｅの初送失敗率Ｒｔａｒｇｅｔ１ｓｔＴｒａｎｓ以下である場合（ｃ条件）は、一段下げたサブフレーム数Ｎ’ｓｕｂｆｒａｍｅを算出する。
【００６７】
なお、無線リソース量決定部５０が計算するサブフレーム数Ｎ’ｓｕｂｆｒａｍｅの計算方法は式（５）には限られず、コンテンション型プリアンブル送信回数情報に基づいて計算する方法であればよい。
【００６８】
次に、無線リソース量決定部５０は、計算したサブフレーム数Ｎ’ｓｕｂｆｒａｍｅを無線リソース量値として設定値通知部７０に供給する。
次に、設定値通知部７０は、無線リソース量決定部５０から供給される無線リソース量値に基づいて、初期アクセス設定情報を生成して出力する。
具体的には、設定値通知部７０は、無線リソース量決定部５０から無線リソース量値の供給を受けると、この無線リソース量値を取り込み、例えばＬＴＥ標準仕様の通知フォーマットにしたがって、無線リソース量値をコンテンション型の初期アクセス設定情報に含めて出力する。
なおここで、設定値通知部７０は、無線リソース量値をノン・コンテンション型およびコンテンション型の初期アクセス設定情報にそれぞれ含めて出力してもよい。
そして次に、ステップＳ１１の処理に戻る。
【００６９】
以上説明したように、本発明の一実施形態である初期アクセス設定情報生成装置１は、ハンドオーバにより隣接基地局から本基地局に移動してきた通信端末の、ノン・コンテンション型のＲＡ  Ｐｒｏｃｅｄｕｒｅが完了した手続におけるＲＡ  Ｐｒｅａｍｂｌｅの送信回数（ノン・コンテンション型プリアンブル送信回数情報）に基づいて期待受信電力値ＰＲＩＲＴＰを計算し、この期待受信電力値ＰＲＩＲＴＰを初期アクセス設定情報に適用する。
これにより、符号の衝突によってＲＡ  Ｐｒｅａｍｂｌｅの送信回数が増加する事象を除外することができる。したがって、本実施形態である初期アクセス設定情報生成装置１によれば、要求初送成功率Ｒｔａｒｇｅｔを満足するとともに隣接基地局への干渉を低減することができ、通信端末の消費電力を低減することができる。
【００７０】
また、本実施形態である初期アクセス設定情報生成装置１は、ノン・コンテンション型プリアンブル送信回数情報に基づき計算した期待受信電力値ＰＲＩＲＴＰを、ノン・コンテンション型およびコンテンション型の初期アクセス設定情報にそれぞれ含めて出力する。
これにより、期待受信電力値ＰＲＩＲＴＰは、ノン・コンテンション型およびコンテンション型のＲＡ  Ｐｒｏｃｅｄｕｒｅいずれにも適用されることとなり、ＲＡ  Ｐｒｅａｍｂｌｅの通信品質を良好に確保し、且つ適切な無線リソース量を決定でき、データチャネルに対する圧迫やデータチャネルのシステム利用効率の低下を抑制することができる。
【００７１】
なお、上述した実施形態において、無線リソース量決定部５０は、式（５）のＲｃｒｅｄｉｂｌｅ／Ｒｔａｒｇｅｔ１ｓｔＴｒａｎｓ＜ＮＲＡＰｒｏｃｅｄｕｒｅの条件を満足する場合に、以下のようにしてサブフレーム数Ｎ’ｓｕｂｆｒａｍｅを計算してもよい。
通信端末のＲＡ  Ｐｒｏｃｅｄｕｒｅの生起は、ポアソン分布にしたがうとみなすことができる。よって、符号の衝突率ＰＵＥｃｏｌｌは、下記の式（６）により表される。この衝突率ＰＵＥｃｏｌｌは、コンテンション型のＲＡ  ＰｒｏｃｅｄｕｒｅにおけるＲＡ  Ｐｒｅａｍｂｌｅの初送失敗率Ｒ１ｓｔＴｒａｎｓである。
式（６）において、Ｇは、コンテンション型のＲＡ  Ｐｒｏｃｅｄｕｒｅの生起数である。Ｌは、通信端末が選択可能なＰＲＡＣＨのリソース数であり、具体的には、コンテンション型のＲＡ  Ｐｒｏｃｅｄｕｒｅにおける符号数×サブフレーム数である。
【００７２】
【数６】
0005450333.tif 000007
【００７３】
無線リソース量決定部５０は、式（４）により算出した初送失敗率Ｒ１ｓｔＴｒａｎｓと、現在のサブフレーム数Ｎｓｕｂｆｒａｍｅをもとに求めたリソース数Ｌとに基づいて、式（６）から現在のコンテンション型のＲＡ  Ｐｒｏｃｅｄｕｒｅの生起数Ｇを計算する。
次に、無線リソース量決定部５０は、上記の計算した生起数Ｇと、許容するＲＡ  Ｐｒｅａｍｂｌｅの初送失敗率Ｒｔａｒｇｅｔ１ｓｔＴｒａｎｓとに基づいて、式（６）からＰＲＡＣＨのリソース数Ｌを計算する。
次に、無線リソース量決定部５０は、上記の計算したリソース数Ｌと、コンテンション型のＲＡ  Ｐｒｏｃｅｄｕｒｅにおける符号数との除算によってサブフレーム数Ｎ’ｓｕｂｆｒａｍｅを計算する。
【００７４】
また、本実施形態では、基地局に設けられる例として初期アクセス設定情報生成装置１を説明したが、この初期アクセス設定情報生成装置１は、基地局内に限らず、例えば基地局同士を接続するネットワークに接続して設けてもよい。
【００７５】
また、本実施形態である初期アクセス設定情報生成装置１の機能をコンピュータで実現するようにしてもよい。この場合、その制御機能を実現するための初期アクセス設定情報生成プログラムをコンピュータ読み取り可能な記録媒体に記録して、この記録媒体に記録された初期アクセス設定情報生成プログラムをコンピュータシステムに読み込ませ、実行することによって実現してもよい。なお、ここでいう「コンピュータシステム」とは、ＯＳ（Ｏｐｅｒａｔｉｎｇ  Ｓｙｓｔｅｍ）や周辺装置のハードウェアを含むものである。また、「コンピュータ読み取り可能な記録媒体」とは、フレキシブルディスク、光磁気ディスク、光ディスク、メモリカード等の可搬型記録媒体、コンピュータシステムに内蔵される磁気ハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバ装置やクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【００７６】
以上、本発明の実施の形態について図面を参照して詳述したが、具体的な構成はその実施形態に限られるものではなく、本発明の要旨を逸脱しない範囲の設計等も含まれる。
【符号の説明】
【００７７】
１  初期アクセス設定情報生成装置
１０  初期アクセス完了判定部（プリアンブル情報送信回数取得部）
２０  受信情報選択部
３０  期待受信電力決定部
４０  期待受信電力決定タイミング生成部
５０  無線リソース量決定部
６０  無線リソース量決定タイミング生成部
７０  設定値通知部
【図１】
0005450333.tif 000008
【図２】
0005450333.tif 000009
【図３】
0005450333.tif 000010
【図４】
0005450333.tif 000011